【手続補正書】
【提出日】令和2年4月14日(2020.4.14)
【手続補正１】
【補正対象書類名】特許請求の範囲
【補正対象項目名】全文
【補正方法】変更
【補正の内容】
【特許請求の範囲】
【請求項１】
液晶表示パネルの複数の検出電極の静電容量に依存する容量検出データを取得するように構成されたアナログフロントエンドと、
現タッチ検出フレームに対応する第１容量検出データを受け取り、
前記現タッチ検出フレームにおける前記液晶表示パネルの表示状態に応じて、過去タッチ検出フレームを選択し、
前記第１容量検出データと選択された前記過去タッチ検出フレームに対応する第２容量検出データとに基づいて、前記現タッチ検出フレームに対応するタッチ検出データを生成するように構成された演算回路と
を備える
半導体装置。
【請求項２】
前記液晶表示パネルの複数の画素回路を駆動するように構成された表示ドライバ回路部を更に備える
請求項１に記載の半導体装置。
【請求項３】
前記表示ドライバ回路部が、更に、ある垂直同期期間において、前記複数の画素回路を駆動して前記液晶表示パネルを複数の表示状態のうちの一つに設定するように構成され、
前記複数の表示状態は、
前記垂直同期期間において、前記複数の画素回路のうちの第１画素回路が第１極性の駆動電圧で駆動され、前記複数の画素回路のうちの第２画素回路が前記第１極性と逆の第２極性の駆動電圧で駆動される第１表示状態と、
前記垂直同期期間において、前記第１画素回路が前記第２極性の駆動電圧で駆動され、前記第２画素回路が前記第１極性の駆動電圧で駆動される第２表示状態と
を含む
請求項２に記載の半導体装置。
【請求項４】
前記表示ドライバ回路部は、
前記液晶表示パネルを前記第１表示状態と前記第２表示状態の間で切り替える極性信号を生成し、
前記極性信号を前記演算回路に供給し、
前記極性信号に応じて前記液晶表示パネルを駆動するように構成された
請求項３に記載の半導体装置。
【請求項５】
前記タッチ検出データを生成することは、
前記現タッチ検出フレームに対応する第１拡張容量検出データを生成することと、
前記第１拡張容量検出データを記憶装置に格納することと
を含み、
前記第１拡張容量検出データを生成することは、前記極性信号に基づいたものである液晶状態データを前記第１容量検出データに付加することを含む
請求項４に記載の半導体装置。
【請求項６】
前記タッチ検出データを生成することが、更に、選択された前記過去タッチ検出フレームに対応し、前記過去タッチ検出フレームが前記液晶状態データによって示されている前記現タッチ検出フレームの液晶状態と同じ液晶状態に対応していることを示している第２拡張容量検出データを選択することを含み、
前記タッチ検出データを生成することが、前記第１容量検出データと前記第２拡張容量検出データに含まれている前記第２容量検出データとに基づいている
請求項５に記載の半導体装置。
【請求項７】
前記液晶表示パネルは、更に、前記複数の画素回路の行を選択する複数のゲート線を含み、
前記表示ドライバ回路部は、前記複数のゲート線を駆動するように更に構成され、
前記複数の表示状態は、更に、前記垂直同期期間において、前記ゲート線の駆動が行われない第３表示状態を含む
請求項３に記載の半導体装置。
【請求項８】
前記表示ドライバ回路部が、更に、
前記複数のゲート線の駆動を選択的に許可するスキャンアクティブ信号を生成し、
前記スキャンアクティブ信号を前記演算回路に供給するように構成された
請求項７に記載の半導体装置。
【請求項９】
前記タッチ検出データを生成することは、
前記現タッチ検出フレームに対応する第１拡張容量検出データを生成することと、
前記第１拡張容量検出データを記憶装置に格納することと
を含み、
前記第１拡張容量検出データを生成することは、前記演算回路に供給される極性信号と前記スキャンアクティブ信号に基づいたものである液晶状態データを前記第１容量検出データに付加することを含む
請求項８に記載の半導体装置。
【請求項１０】
前記タッチ検出データを生成することが、更に、前記過去タッチ検出フレームに対応し、前記過去タッチ検出フレームが前記液晶状態データによって示されている前記現タッチ検出フレームの液晶状態と同じ液晶状態に対応していることを示している第２拡張容量検出データを選択することを含み、
前記タッチ検出データを生成することが、前記第１容量検出データと前記第２拡張容量検出データに含まれている前記第２容量検出データとに基づいている
請求項９に記載の半導体装置。
【請求項１１】
前記液晶表示パネルは、各垂直同期期間において複数の表示状態のうちの１つに設定され、
前記複数の表示状態は、
関連する垂直同期期間において、前記複数の画素回路のうちの第１画素回路が第１極性の駆動電圧で駆動され、前記複数の画素回路のうちの第２画素回路が前記第１極性と逆の第２極性の駆動電圧で駆動される第１表示状態と、
関連する垂直同期期間において、前記第１画素回路が前記第２極性の駆動電圧で駆動され、前記第２画素回路が前記第１極性の駆動電圧で駆動される第２表示状態と
を含む
請求項１に記載の半導体装置。
【請求項１２】
前記演算回路が、更に、
極性信号であって、それに応じて前記液晶表示パネルが第１表示状態と第２表示状態の間で切り替えられる極性信号を外部から受け取り、
各タッチ検出フレームに対応する拡張容量検出データを生成する
ように構成され、
前記拡張容量検出データを生成することは、各タッチ検出フレームに対応する前記容量検出データに前記極性信号に基づく液晶状態データを付加することを含み、
当該半導体装置が、更に、
前記拡張容量検出データを格納するように構成された記憶装置を備えている
請求項１に記載の半導体装置。
【請求項１３】
複数の画素回路と複数の検出電極とを含む液晶表示パネルと、
前記複数の画素回路を駆動するように構成された表示ドライバ回路部と、
タッチコントローラ回路部であって、
前記複数の検出電極の静電容量に依存する容量検出データであって、現タッチ検出フレームに対応する第１容量検出データと過去タッチ検出フレームに対応する第２容量検出データとを含む容量検出データを取得し、
前記現タッチ検出フレームにおける前記液晶表示パネルの表示状態に応じて、前記過去タッチ検出フレームを選択し、
前記第１容量検出データと、選択された前記過去タッチ検出フレームに対応する第２容量検出データとに基づいて、前記現タッチ検出フレームに対応するタッチ検出データを生成するように構成されたタッチコントローラ回路部と
を備える
表示装置。
【請求項１４】
前記複数の画素回路を駆動することが、ある垂直同期期間において、前記複数の画素回路を駆動して前記液晶表示パネルを複数の表示状態のうちの一つに設定することを含み、
前記複数の表示状態は、
前記垂直同期期間において、前記複数の画素回路のうちの第１画素回路が第１極性の駆動電圧で駆動され、前記複数の画素回路のうちの第２画素回路が前記第１極性と逆の第２極性の駆動電圧で駆動される第１表示状態と、
前記垂直同期期間において、前記第１画素回路が前記第２極性の駆動電圧で駆動され、前記第２画素回路が前記第１極性の駆動電圧で駆動される第２表示状態と
を含む
請求項１３に記載の表示装置。
【請求項１５】
前記表示ドライバ回路部は、更に、
前記液晶表示パネルを前記第１表示状態と前記第２表示状態の間で切り替える極性信号を生成し、
前記極性信号を前記タッチコントローラ回路部に供給し、
前記極性信号に応じて前記液晶表示パネルを駆動するように構成された
請求項１４に記載の表示装置。
【請求項１６】
前記タッチ検出データを生成することは、
前記現タッチ検出フレームに対応する第１拡張容量検出データを生成することと、
生成した前記第１拡張容量検出データを記憶装置に格納することと
を含み、
前記第１拡張容量検出データを生成することは、前記極性信号に基づいたものである液晶状態データを前記第１容量検出データに付加することを含む
請求項１５に記載の表示装置。
【請求項１７】
前記タッチ検出データを生成することが、更に、選択された前記過去タッチ検出フレームに対応し、前記過去タッチ検出フレームが前記液晶状態データによって示されている前記現タッチ検出フレームの液晶状態と同じ液晶状態に対応していることを示している第２拡張容量検出データを選択することを含み、
前記タッチ検出データを生成することが、前記第１容量検出データと前記第２拡張容量検出データに含まれている前記第２容量検出データとに基づいている
請求項１６に記載の表示装置。
【請求項１８】
前記液晶表示パネルは、更に、前記複数の画素回路の行を選択する複数のゲート線を含み、
前記表示ドライバ回路部は、前記複数のゲート線を駆動するように構成され、
前記複数の表示状態は、更に、前記垂直同期期間において、前記ゲート線の駆動が行われない第３表示状態を含む
請求項１４に記載の表示装置。
【請求項１９】
液晶表示パネルの複数の画素回路を駆動することと、
前記液晶表示パネルの複数の検出電極の静電容量に依存する容量検出データであって、現タッチ検出フレームに対応する第１容量検出データと過去タッチ検出フレームに対応する第２容量検出データとを含む容量検出データを取得することと、
前記現タッチ検出フレームにおける前記液晶表示パネルの表示状態に応じて、前記過去タッチ検出フレームを選択することと、
前記第１容量検出データと、選択された前記過去タッチ検出フレームに対応する第２容量検出データとに基づいて、前記現タッチ検出フレームに対応するタッチ検出データを生成することと
を含む
方法。
【請求項２０】
前記複数の画素回路を駆動することが、ある垂直同期期間において、前記複数の画素回路を駆動して前記液晶表示パネルを複数の表示状態のうちの一つに設定することを含み、
前記複数の表示状態は、
前記垂直同期期間において、前記複数の画素回路のうちの第１画素回路が第１極性の駆動電圧で駆動され、前記複数の画素回路のうちの第２画素回路が前記第１極性と逆の第２極性の駆動電圧で駆動される第１表示状態と、
前記垂直同期期間において、前記第１画素回路が前記第２極性の駆動電圧で駆動され、前記第２画素回路が前記第１極性の駆動電圧で駆動される第２表示状態と
を含む
請求項１９に記載の方法。
【手続補正２】
【補正対象書類名】明細書
【補正対象項目名】発明の名称
【補正方法】変更
【補正の内容】
【発明の名称】半導体装置、表示装置、及び、方法